(57)【特許請求の範囲】
【請求項１】
複数の矩形のパネルボードが敷地境界に沿って地面に載置され、
前記パネルボードの所定位置に上又は下向きのつばが横設され、
隣接する前記パネルボードの側縁部同士が密着された状態で、これらパネルボードの前記つば同士が長方形板の接続具の両端に設けられた挟持部にそれぞれ挟持されて接続されることにより、これらパネルボード同士が相互に固定され、
これらパネルボードが前記接続具の中間に取付けられた支持手段により地面に対して支持されたことを特徴とする仮囲い。
【発明の詳細な説明】
【０００１】
【発明の属する技術分野】
本発明は、住宅等の施工現場において、道路側に面した敷地境界に設置される仮囲いに関する。
【０００２】
【従来の技術】
従来、住宅施工現場等の道路に面した側に仮囲いを設ける場合、図８に示すように、敷地境界２に沿って、支柱１７をパネルボード１８の幅に合わせて建て、この支柱１７側部の短筒状の取付部１７ａにパネルボード１８の側部に設けられた取付片１８ａを嵌め込むことで、前記パネルボード１８を前記支柱１７に固定し、仮囲いＣを設置していた。前記支柱１７は、例えば、支柱本体１７ｂと、該支柱本体１７ｂの下端に装着されたねじ式ジャッキベース１９と、前記支柱本体１７ｂの下側部に突設された杭ガイド１７ｃと、前記支柱本体１７ｂ側部に一端が軸着され、他端に杭ガイド２０ａが形成された斜材２０とを備え、杭１２が前記ガイド１７ｃ、２０ａを通じて地面に打込まれたものである。
【０００３】
【発明が解決しようとする課題】
図９に示すように、この仮囲いＣを傾斜した地面３に設置する場合は、前記ジャッキベース１９にて、前記支柱１７の高さが調整され、仮囲いＣ全体が水平になるようにして設けられる。しかし、この場合には、パネルボード１８の下に大きな隙間Ｓが形成され、見栄えが悪いだけでなく、ここから部外者が侵入することも可能であり、防犯上好ましくなかった。一方、前記仮囲いＣ全体を傾斜地の傾きに合わせて設置することも考えられるが、見栄えが悪いだけでなく、支柱が鉛直方向に対して傾斜して設置されることとなるので、構造的に不安定なものとなる。
【０００４】
さらに、前記仮囲いＣを設置するには、多くの施工工数が掛かかるという問題がある。特に、前記支柱１７を設ける場合には、前記したねじ式ジャッキベース１９の調整、前記杭１２の打込み等、作業者にとって負担の大きな作業が多く、多くの時間と労力を費やしていた。
【０００５】
本発明は、上記した課題に鑑みてなされたものであって、傾斜地に設置する場合であっても、パネルボードの下に隙間を形成することなく、傾斜地の傾斜に沿って、見栄え良く設置することができ、合わせて、施工工数の削減を図ることができる仮囲いを提供することを目的とする。
【０００６】
【課題を解決するための手段】
上記目的を達成するために、請求項１記載の仮囲いは、複数の矩形のパネルボードが敷地境界に沿って地面に載置され、前記パネルボードの所定位置に上又は下向きのつばが横設され、隣接する前記パネルボードの側縁部同士が密着された状態で、これらパネルボードの前記つば同士が長方形板の接続具の両端に設けられた挟持部にそれぞれ挟持されて接続されることにより、これらパネルボード同士が相互に固定され、これらパネルボードが前記接続具の中間に取付けられた支持手段により地面に対して支持されたことを特徴としている。
【０００８】
【発明の実施の形態】
以下、本発明の第１の実施形態に係る仮囲いについて、図面に基づいて説明する。図１及び図２に示すように、前記仮囲いＡは、複数の矩形のパネルボード１が敷地境界２に沿って地面３に載置され、前記パネルボード１の所定位置に上向きでつば４が設けられ、隣接する前記パネルボード１の側縁部１ａ同士が密着された状態で、これらパネルボード１の前記つば４同士が接続具５にて接続されることにより、これらパネルボード１同士が相互に固定され、これらパネルボード１が支持手段６により、地面３に対して支持されたものである。以下、詳細に説明する。
【０００９】
前記パネルボード１は、例えば、矩形の枠体の両側部に複数の断面Ｌ字形鋼（例えば山型鋼）を用いた横桟１ｂが架設され、前記枠体形状に合致する板材７が内側に装着されたものであって、前記横桟１ｂのうちの２つは、断面Ｌ字形に直交する２面のうちの１面を前記つば４として上向きにして設けられたものである。
【００１０】
前記接続具５は、図３に示すように、例えば長方形板の両側部に板材等を挟持する挟持部５Ａが設けられたものである。該挟持部５Ａは、例えば、断面Ｌ字形の挟持部材５ａがその突起部５ｂを上側且つ本体板５ｃ側にして、ボルト５ｄとナット５ｅにより留め付けられたものである。したがって、前記本体板５ｃと前記挟持部材５ａの間に反突起部５ｂ側から前記つば４を挿入して前記ボルト５ｄ、ナット５ｅを締めることで、前記つば４等を挟持することができるようになっている。なお、後述する軸受け８を取付けるために、前記本体板５ｃの前記挟持部材５ａと反対側に植え込みボルト５ｆ、ナット５ｅが突設されている。
【００１１】
前記支持手段６により、複数の前記パネルボード１を地面に対して支持するために、例えば、上下に設けた２つの接続具５のうち上側に設けた前記接続具５に一端が取付けられた斜材９が、他端に形成された杭ガイド１１を介して地面３に打込まれた杭１２に固定され、下側に設けた前記接続具５が、該接続具５に取付けられた杭ガイド１３を介して地面に打込んだ杭１２に固定されている。
【００１２】
さらに詳細な構成を説明すると、上側に設けた前記接続具５の前記植え込みボルト５ｆを利用して軸受け８が取付られ、パイプ材等からなる斜材９の一端に軸着されたロッド１０が前記軸受け８に嵌入され、留めボルト１４にてこれに固定され、前記斜材９の他端に形成された杭ガイド１１が地面３に打ち込まれた杭１２に外嵌されて、留めボルト１４にてこれに固定されている。一方、下側に設けた前記接続具５の前記植え込みボルト５ｆには、板材１３ａを介して杭ガイド１３が取付けられ、該杭ガイド１３が地面に打込まれた杭１２に外嵌されて、留めボルト１４にて固定されている。なお、前記留めボルト１４は、前記軸受け８等の外部から内径部まで螺刻された雌ねじに螺入されており、前記留めボルト１４を締め込むことで、前記ロッド１０、杭１２等が前記軸受け８、杭ガイド１１、１３等に固定されるようになっている。
【００１３】
ところで、前記支持手段６として、上記に具体的な構成例を示したが、前記支持手段は、これに限定されるものではない。例えば、前記軸受け８や前記杭ガイド１３を前記接続具５に設けず、前記パネルボード１に直に設ける等して前記パネルボードを地面３に対して支持させるようにしてもよい。
【００１４】
以下、上記仮囲いＡを設置する手順の一例を示す。まず、作業者等により、２枚の前記パネルボード１を敷地境界２に沿って地面３に載置し、前記パネルボード１の側縁部１ａ同士を密着させ、地面３対して直角に建てた状態で保持する。
ただし、地面３が傾斜している場合は、上記作業に加えて、図４に示すように、前記パネルボード１同士を上下にずらせて、前記横桟１ｂを水平に保った状態でこれらパネルボード１を保持する。
【００１５】
つぎに、これらパネルボード１の前記つば４を前記接続具５の両側部に設けられた前記挟持部５Ａに夫々取付け、前記ボルト５ｄ、ナット５ｅを締めつけて前記つば４を挟持させてこれらパネルボード１を接続する。ただし、地面３が傾斜している場合は、図４に示すように、前記接続具５を傾斜させて、異なる高さにある前記つば４を夫々前記挟持部５Ａに挟持させる。この結果、前記パネルボード１は、側縁部１ａ同士が密着された状態で上記の如く接続具５にて接続されるため、相互に固定された状態となる。
【００１６】
つぎに、前記上側の接続具５に取付られた前記軸受け８に前記斜材９の前記ロッド１０を挿入し、前記留めボルト１４にて前記軸受け８に固定すると共に、杭１２を前記杭ガイド１１に挿入して、地面３に打込み、留めボルト１４にて前記杭ガイド１１を前記杭１２に固定する。最後に、別の杭１２を前記下側の接続具５の前記杭ガイド１２に挿入して、地面３に打込み、留めボルト１４にて該杭ガイド１３を前記杭１２に固定する。
【００１７】
以上の施工を繰返して、前記パネルボード１の両側にさらにパネルボード１を増設してゆき、所望の幅で仮囲い全体を設ける。このようにして設けられた仮囲いＡは、パネルボード１の側縁部１ｂ同士が密着されると共に、地面３に載置されて設けられるために、パネルボード１の下部やパネルボード１同士の間に隙間が殆ど生じない。また、地面３が傾斜している場合においても、前記パネルボード１を傾けずに設置することができる。
【００１８】
なお、前記つば４は、上向きに設けられたものであるが、下向きに設けられたものであっても同様の作用効果を得ることができる。すなわち、前記接続具５の前記挟持部材５ａの前記突起部５ｂを上下逆に配置し、前記下向きに形成されたつばの下から前記接続具５を取付けて挟持させ、その他を、上記した実施の形態で説明した通りにすれば、同様の仮囲いを設けることができる。
【００１９】
以下、本発明の第２の実施形態に係る仮囲いについて、図面に基づいて説明する。図５に示すように、前記仮囲いＢは、上記した第１の実施形態において説明したものと同様の２枚のパネルボード１が互いに角度Ｋを形成して敷地境界２の隅部に沿って地面３に載置され、前記パネルボード１の前記つば４同士が、丁番接続具１５にて接続されることにより、これらパネルボード１同士が相互に接続されたものである。
【００２０】
前記丁番接続具１５は、図６に示すように、その中間に左右の取付部１５ａ、１５ｂを相互に揺動自在に且つ上下にスライド自在に連結する連結部１５ｃが形成されたものである。該連結部１５ｃの具体的構成としては、例えば、一方の取付部１５ａの端部に軸１５ｄが形成され、他方の取付部１５ｂの端部に形成された管状ナックル１５ｅとスライド自在に嵌合されたものである。また両側部には、第１の実施形態で説明した挟持部５Ａと同様の挟持部材１５ｆ、ボルト１５ｇ、ナット１５ｈからなる挟持部１５Ａが設けられている。
【００２１】
前記仮囲いＢを設ける場合は、敷地境界２の隅部に沿って、前記パネルボード１同士を角度Ｋを形成させながら地面３に載置し、つぎに、これらパネルボード１の前記つば４同士を、前記丁番接続具１５の挟持部１５Ａに夫々挟持させることにより接続する。
【００２２】
このようにして設けらる仮囲いＢは、前記丁番接続具１５が前記取付部１５ａと前記取付部１５ｂが相互に上下にスライドするため、地面３が傾斜している場合であっても、図７に示すように、前記パネルボード１同士を上下方向にずらせて設置することが可能である。
【００２３】
なお、第２の実施形態においては、前記つば４は、上向きに設けられたものではあるが、その他の一定の向きに設けられたものであっても、同様の作用効果を得ることができる。すなわち、前記丁番接続具１５の前記取付部１５ａ及び１５ｂを前記つば４の向きに対応して前記軸１５ｄに対して傾斜したものを使用し、前記軸１５ｄの軸方向と、前記パネルボード１同士をずらすべき方向とを一致させればよい。
【００２４】
【発明の効果】
請求項１記載の仮囲いは、複数の矩形のパネルボードが敷地境界に沿って地面に載置され、前記パネルボードの所定位置に上又は下向きのつばが横設され、隣接する前記パネルボードの側縁部同士が密着された状態で、これらパネルボードの前記つば同士が長方形板の接続具の両端に設けられた挟持部にそれぞれ挟持されて接続されることにより、これらパネルボード同士が相互に固定され、これらパネルボードが支持手段により地面に対して支持されたものであるので、従来の仮囲いのように支柱を建てる必要がなく、大幅な施工工数の削減を図ることができ、又、設置する地面が傾斜している場合でも、パネルボードを傾けずに見栄え良く設置することができる。さらに、前記支持手段が、前記接続具に取付けられたものであるので、前記パネルボードには、前記つばのみが設けられていればよく、前記パネルボード面から突出した取付具を設ける必要がないので、かさ張らずに複数の前記パネルボードを重ね合わせることができ、コンパクトにまとめて運搬することが可能である。
【図面の簡単な説明】
【図１】  本発明の第１の実施形態に係る仮囲いの斜視図である。
【図２】  図１のＸ−Ｘ断面図である。
【図３】  接続具の具体例を示した斜視図である。
【図４】  傾斜した地面に本発明の第１の実施形態に係る仮囲いを設置した場合を示した図である。
【図５】  本発明の第２の実施形態に係る仮囲いの斜視図である。
【図６】  丁番接続具の具体例を示した斜視図である。
【図７】  傾斜した地面に本発明の第２の実施形態に係る仮囲いを設置した場合を示した図である。
【図８】  従来例に係る仮囲いを示した斜視図である。
【図９】  従来例に係る仮囲いを傾斜した地面に設置した場合を示した図である。
【符号の説明】
Ａ、Ｂ  仮囲い
１  パネルボード
１ａ  側縁部
２  敷地境界
３  地面
４  つば
５  接続具
５Ａ  挟持部
６  支持手段
１５  丁番接続具
１５ａ  取付部
【図１】
0003888510.tif 000002
【図２】
0003888510.tif 000003
【図３】
0003888510.tif 000004
【図４】
0003888510.tif 000005
【図５】
0003888510.tif 000006
【図６】
0003888510.tif 000007
【図７】
0003888510.tif 000008
【図８】
0003888510.tif 000009
【図９】
0003888510.tif 000010